(57)【要約】【課題】チェアーのアームレスト支持パッドの角度調整装置を提供する。【解決手段】本発明は、接合シャフト１、位置決めピース２、支持パッド３を含み、接合シャフト１の下方はチェアー本体に接合し、上方に下接合面１１を備え、下接合面１１は収容溝１２、回動溝１３、少なくとも１つのリミット溝１５又は１６を備え、回動溝１３は中央に接合孔１４を備え、また位置決めピース２は弾性を有する材料で製造され、接合シャフト１の収容溝１２内に設置し、また上下に可撓性移動動作が可能な弾性片部２１が設けられ、弾性片部２１の上方には位置決め体２２が凸設され、また支持パッド３は台座３１を備え、台座３１は下方の接合シャフト１の下接合面１１に対応する位置に上接合面３１１が設けられ、上接合面３１１には接合シャフト１の回動溝１３に対応する位置に回動軸３１２が設けられ、回動軸３１２は中央に接合孔３１３が設けられる。【選択図】図１
2020141897.tif 000002
【特許請求の範囲】
【請求項１】
チェアーのアームレストの支持パッドの角度調整装置であって、
下方がチェアー本体と接合され、頂端は下接合面を備え、前記下接合面は収容溝、回動溝、少なくとも１つのリミット溝を備え、前記回動溝は中央に接合孔を備えている接合シャフトと、
弾性を有する材料で製造され、前記接合シャフトの収容溝内に設置され、さらに上下に可撓性移動動作が可能な弾性片部が設けられ、前記弾性片部の上方には位置決め体が凸設されている位置決めピースと、
台座を備え、前記台座の下方には前記接合シャフトの前記下接合面に対応する位置に上接合面が設けられ、前記上接合面には前記接合シャフトの前記回動溝に対応する位置に回動軸が設けられ、前記回動軸の中央には接合孔が設けられ、且つ前記支持パッドと前記接合シャフトの前記接合孔に接合部材が挿通されることで前記支持パッドと前記接合シャフトを組み合わせることができ、また前記上接合面には前記位置決め体に対応する位置に、異なる角度の位置に分布し且つ前記位置決め体と接合することができる複数の位置決め溝が設けられ、また前記上接合面には前記リミット溝に対応する位置に前記リミット溝において動作することができるリミット体が設けられている支持パッドと、を含むことを特徴とする角度調整装置。
【請求項２】
前記接合シャフトの前記回動溝は前記収容溝の後方位置に設けられ、また前記回動溝の前方に設けられた弧形の後リミット溝と、前記収容溝の前方に設けられた弧形の前リミット溝とを含み、
また前記支持パッドは、前記上接合面の前記回動軸の前方に前記後リミット溝において動作することができる後リミット体が設けられ、また前記上接合面の前方には前記接合シャフトの前記前リミット溝に対応する位置に前記前リミット溝内において移動することができる前リミット体が設けられ、
また前記前リミット体及び前記後リミット体はそれぞれ前記前リミット体及び前記後リミット溝の側壁と当接することで前記支持パッドの最大回動角度を制限することを特徴とする、請求項１に記載の角度調整装置。
【請求項３】
前記支持パッドは、
上蓋と、
前記台座上方において前記接合孔に対応する位置に設けられた、前記接合部材を挿通することができる貫通孔と、
前記台座上方に設けられた複数の挿入ピンと、をさらに含み、
前記上蓋下方には前記挿入ピンと接合することができる挿入溝が設けられていることを特徴とする、請求項１に記載の角度調整装置。
【発明の詳細な説明】
【技術分野】
【０００１】
本発明はチェアーのアームレスト支持パッドの角度調整装置に関し、主にアームレスト支持パッドの角度調整に安定性を備えた角度調整装置に関するものである。
【背景技術】
【０００２】
周知のチェアーは、一般的に両側にアームレストが設けられ、且つアームレストが前腕を支持することで座り心地を高めており、アームレストの下方にチェアー本体と接合できる接合シャフトを備え、接合シャフトの上方には前・後方向の支持パッドが固定接続され、且つ支持パッドは前腕の凭れ掛けに供することができる。
しかし、使用者の着座姿勢は様々であり、また着座者が休んだり、タイピングしたり、その他の作業を行ったりする際の前腕の角度がそれぞれ異なるため、角度が固定された支持パッドでは状況に応じて前腕の方向にフィットすることができず、前腕支持の適用性の低さが周知のチェアーの欠点となっていた。
【０００３】
上記の欠点を解決し、アームレストの適用性を向上させるため、現在は角度調整が可能な支持パッドがある。その支持パッドは、底部が接合シャフトに枢設され、且つ支持パッドが接合シャフトに対応して回動することで角度調整を可能にしている。
しかし、支持パッドと接合シャフトを組み合わせた時の安定性が良くないため、回動する力が大きい場合には接合シャフトへの支持パッドの据え付けを安定させることができず、また支持パッドの角度を安定して組み合わせることができないことが、常に欠点となっていた。周知のチェアーに関する先行技術文献としては、例えば特許文献１がある。
【先行技術文献】
【特許文献】
【０００４】
【特許文献１】特開第２０１０−８９５５７号公報
【発明の概要】
【発明が解決しようとする課題】
【０００５】
本発明は、アームレスト支持パッドの角度調整に良好な安定性を備えた装置を提供することを目的としている。
【０００６】
本発明は、接合シャフト、位置決めピース、支持パッドを含む、チェアーのアームレスト支持パッドの角度調整装置である。
接合シャフトは、下方がチェアー本体に接合され、頂端は下接合面を備え、下接合面は収容溝、回動溝、少なくとも１つのリミット溝を備え、回動溝の中央は接合孔を備える。
また位置決めピースは、弾性を有する材料で製造され、接合シャフトの収容溝内に設置され、また上下に可撓性移動動作が可能な弾性片部が設けられ、弾性片部の上方には位置決め体が凸設される。
また支持パッドは台座を備え、台座の下方には接合シャフトの下接合面に対応する位置に上接合面が設けられ、上接合面には接合シャフトの回動溝に対応する位置に回動軸が設けられ、回動軸は中央に接合孔が設けられ、且つ支持パッドと接合シャフトの接合孔に接合部材が挿通されることで支持パッドと接合シャフトを組み合わせることができ、また上接合面は位置決め体に対応する位置に、異なる角度の位置に分布し且つ位置決め体と接合することができる複数の位置決め溝が設けられ、また上接合面にはリミット溝に対応する位置にリミット溝において動作することができるリミット体が設けられている。
【０００７】
好ましくは、接合シャフトの回動溝は収容溝の後方位置に設けられ、また回動溝の前方に設けられた弧形の後リミット溝と、収容溝の前方に設けられた弧形の前リミット溝とをさらに含む。
また支持パッドは、上接合面の回動軸の前方に後リミット溝において動作することができる後リミット体が設けられ、また上接合面の前方には接合シャフトの前リミット溝に対応する位置に前リミット溝内において移動することができる前リミット体が設けられる。
また前リミット体及び後リミット体はそれぞれ前リミット体及び後リミット溝の側壁と当接することで支持パッドの最大回動角度を制限することができる。
【０００８】
さらに好ましくは、支持パッドは、
上蓋と、
台座上方において接合孔に対応する位置に設けられた、接合部材を挿通することができる貫通孔と、
台座上方に設けられた複数の挿入ピンと、をさらに含む。
上蓋下方には挿入ピンと接合することができる挿入溝が設けられている。
【発明の効果】
【０００９】
本発明は、各部品を組み合わせた後に、接合シャフトと支持パッドとの間を広い面積の下上接合面が接合することで、良好な組み合せの安定性を備えることができる。
またアームレストが回動軸と回動溝により枢設され、前後方向は前リミット体及び後リミット体によりそれぞれ前リミット溝及び後リミット溝と接合され、中央位置は位置決め体により位置決め溝と接合されて、荷重を平均して支持することで良好な組み合せの安定性を備えることができる。
また位置決めピースが良好な可撓性材料で製造されるため、位置決め体と位置決め溝に良好な位置決め安定性を備えさせることができる。
また前リミット溝及び後リミット溝の側壁を前リミット体及び後リミット体の当接に供することができるため、支持パッドを回転操作する際に回転が過度にずれないよう担保することができ、良好な動作の安定性及び使用寿命を備えることができる。
【図面の簡単な説明】
【００１０】
【図１】本発明の分解斜視図である。
【図２】本発明の立体組立斜視図である。
【図３】本発明の組立断面図である。
【図４】本発明の組立平面図である。
【図５】本発明の支持パッドを角度調整する様子を示した概略平面図である。
【発明を実施するための形態】
【００１１】
（実施例）
図１〜４を参照する。
本発明は、接合シャフト１、位置決めピース２、支持パッド３を含む。
接合シャフト１の下方はチェアー本体（図示しない）と接合され、上方は下接合面１１を備え、下接合面１１は中央に収容溝１２を備え、収容溝１２の後方は回動溝１３を備え、回動溝１３は中央に接合孔１４を備え、また回動溝１３の前方には弧形の後リミット溝１５が設けられ、また収容溝１２の前方には弧形の前リミット溝１６が設けられている。
【００１２】
位置決めピース２は弾性を有する材料で製造され、且つ接合シャフト１の収容溝１２内に設置され、さらに上下に可撓性移動動作が可能な弾性片部２１が設けられ、弾性片部２１の上方には位置決め体２２が凸設されている。
【００１３】
支持パッド３は、台座３１、上蓋３２を備える。
台座３１の下方には接合シャフト１の下接合面１１に対応する位置に上接合面３１１が設けられ、上接合面３１１には接合シャフト１の回動溝１３に対応する位置に回動軸３１２が設けられ、回動軸３１２の中央には接合孔３１３が設けられ、また台座３１の上方には接合孔３１３に対応する位置に貫通孔３１４が設けられ、且つ支持パッド３の貫通孔３１４及び接合孔３１３と接合シャフト１の接合孔１４に接合部材３１５が挿通されることで支持パッド３と接合シャフト１を組み合わせることができる。
また回動軸３１２の前方に後リミット溝１５において動作することができる後リミット体３１６が設けられ、また上接合面３１１の前方には接合シャフト１の前リミット溝１６に対応する位置に前リミット溝１６内において移動することができる前リミット体３１７が設けられる。
前・後リミット体３１７、３１６はそれぞれ前・後リミット溝１６、１５の側壁と当接することで支持パッド３の最大回動角度を制限することができ、また上接合面３１１には位置決め体２２に対応する位置に、異なる角度の位置に分布させた複数の位置決め溝３１８が設けられ、また台座３１の上方には複数の挿入ピン３１９が設けられ、また上蓋３２の底面には挿入ピン３１９と接合することができる複数の挿入溝３２１が設けられている。
【００１４】
本発明を組み立てる際には、位置決めピース２が接合シャフト１の収容溝１２内に置かれ、且つ位置決め体２２は上向きにされる。
また支持パッド３の台座３１と上蓋３２を分離させ、且つ下接合面１１を上接合面３１１に当て、同時に回動軸３１２が回動溝１３に嵌入できるようにし、前・後リミット体３１７、３１６をそれぞれ前・後リミット溝１６、１５内に嵌入させることができる。
また台座３１の貫通孔３１４及び接合孔３１３と接合シャフト１の接合孔１４に接合部材３１５を挿通させて結合し、この時に位置決め体２２を中央位置に対応する位置決め溝３１８と結合させることができる。
また上蓋３２を台座３１に被せて挿入溝３２１を挿入ピン３１９と接合させれば組み合わせを完了することができ、組立が簡便であるとともに、アームレストの組み合わせに良好な総合的質感を備えさせることができる。
本発明の位置決めピース２はコンパクトな独立した構成部材であるため、コストを削減することができ、且つ弾性が良好で断裂しにくい材料を用いて製造することで良好な使用寿命を備えることができる。
【００１５】
本発明は、組み合わせた後に、接合シャフト１と支持パッド３との間を広い面積の下・上接合面１１、３１１が接合することで、良好な組み合せの安定性を備えることができる。
また回動軸３１２と回動溝１３により接合され、またアームレストの前後方向は前・後リミット体３１７、３１６によりそれぞれ前・後リミット溝１６、１５と接合され、且つ中央位置は位置決め体２２により位置決め溝３１８と接合することができる。これにより、荷重を平均して支持することで良好な組み合せの安定性を備えることができ、且つ腕を支持パッド３の上に置いた時に支持パッド３がずれてしまう状況を防ぐことができる。
【００１６】
図３〜５を参照する。
本発明の支持パッド３は着座者の前腕位置に合わせて角度を調整することができる。
本発明は、支持パッド３が接合シャフト１に対応して回動する際に、位置決めピース２の弾性片部２１がフレキシブルに上下動作し、且つ位置決め体２２を異なる角度の位置決め溝３１８と接合させることができる。
また支持パッド３が回動する際に回動軸３１２が回動溝１３内で回動することができ、同時に接合部材３１５が枢設位置の強度をより良好に向上させることができる。
また支持パッド３の回動動作時に、枢設位置の前後方向では同時に前・後リミット体３１７、３１６が前・後リミット溝１６、１５と接合され、良好な動作安定性を備えることができる。
【００１７】
本発明は、位置決めピース２が良好な可撓性材料で製造されるため、位置決め体２２と位置決め溝３１８に良好な位置決めの安定性を備えさせることができる。
また前・後リミット溝１６、１５の側壁は前・後リミット体３１７、３１６の当接に供することができるため、支持パッド３の回転が過度にずれないよう担保することができ、良好な動作の安定性及び使用寿命を備えることができる。
【００１８】
以上をまとめると、本発明は良好な組立信頼性及び支持の位置決めにおける安定性を備えており、また上述の実施例は本発明を例示するものであり、決して本発明を限定するものではなく、本発明の精神に基づく同等の効果が得られる改変はすべて本発明の範囲に属する。
【００１９】
具体的な実施例により詳細な説明を行ったが、本発明の技術範囲を逸脱せずに多くの修正及び変更を行うことが可能であり、本発明の範囲は特許請求の範囲によって定められる。
【符号の説明】
【００２０】
１      接合シャフト
１１    下接合面
１２    収容溝
１３    回動溝
１４    接合孔
１５    後リミット溝
１６    前リミット溝
２      位置決めピース
２１    弾性片部
２２    位置決め体
３      支持パッド
３１    台座
３１１  上接合面
３１２  回動軸
３１３  接合孔
３１４  貫通孔
３１５  接合部材
３１６  後リミット体
３１７  前リミット体
３１８  位置決め溝
３１９  挿入ピン
３２    上蓋
３２１  挿入溝
【図１】
2020141897.tif 000003
【図２】
2020141897.tif 000004
【図３】
2020141897.tif 000005
【図４】
2020141897.tif 000006
【図５】
2020141897.tif 000007
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
チェアーのアームレストの支持パッドの角度調整装置であって、
下方がチェアー本体と接合され、頂端は下接合面を備え、前記下接合面は収容溝、回動溝、少なくとも１つのリミット溝を備え、前記回動溝は中央に接合孔を備えている接合シャフトと、
弾性を有する材料で製造され、前記接合シャフトの収容溝内に設置され、さらに上下に可撓性移動動作が可能な弾性片部が設けられ、前記弾性片部の上方には位置決め体が凸設されている位置決めピースと、
台座を備え、前記台座の下方には前記接合シャフトの前記下接合面に対応する位置に上接合面が設けられ、前記上接合面には前記接合シャフトの前記回動溝に対応する位置に回動軸が設けられ、前記回動軸の中央には接合孔が設けられ、且つ前記支持パッドと前記接合シャフトの前記接合孔に接合部材が挿通されることで前記支持パッドと前記接合シャフトを組み合わせることができ、また前記上接合面には前記位置決め体に対応する位置に、異なる角度の位置に分布し且つ前記位置決め体と接合することができる複数の位置決め溝が設けられ、また前記上接合面には前記リミット溝に対応する位置に前記リミット溝において動作することができるリミット体が設けられている支持パッドと、を含むことを特徴とする角度調整装置。
【請求項２】
前記接合シャフトの前記回動溝は前記収容溝の後方位置に設けられ、また前記回動溝の前方に設けられた弧形の後リミット溝と、前記収容溝の前方に設けられた弧形の前リミット溝とを含み、
また前記支持パッドは、前記上接合面の前記回動軸の前方に前記後リミット溝において動作することができる後リミット体が設けられ、また前記上接合面の前方には前記接合シャフトの前記前リミット溝に対応する位置に前記前リミット溝内において移動することができる前リミット体が設けられ、
また前記前リミット体及び前記後リミット体はそれぞれ前記前リミット溝及び前記後リミット溝の側壁と当接することで前記支持パッドの最大回動角度を制限することを特徴とする、請求項１に記載の角度調整装置。
【請求項３】
前記支持パッドは、
上蓋と、
前記台座上方において前記接合孔に対応する位置に設けられた、前記接合部材を挿通することができる貫通孔と、
前記台座上方に設けられた複数の挿入ピンと、をさらに含み、
前記上蓋下方には前記挿入ピンと接合することができる挿入溝が設けられていることを特徴とする、請求項１に記載の角度調整装置。
【手続補正２】
【補正対象書類名】明細書
【補正対象項目名】００１３
【補正方法】変更
【補正の内容】
【００１３】
支持パッド３は、台座３１、上蓋３２を備える。
台座３１の下方には接合シャフト１の下接合面１１に対応する位置に上接合面３１１が設けられ、上接合面３１１には接合シャフト１の回動溝１３に対応する位置に回動軸３１２が設けられ、回動軸３１２の中央には連通孔３１３が設けられ、また台座３１の上方には連通孔３１３に対応する位置に貫通孔３１４が設けられ、且つ支持パッド３の貫通孔３１４及び連通孔３１３と接合シャフト１の接合孔１４に接合部材３１５が挿通されることで支持パッド３と接合シャフト１を組み合わせることができる。
また回動軸３１２の前方に後リミット溝１５において動作することができる後リミット体３１６が設けられ、また上接合面３１１の前方には接合シャフト１の前リミット溝１６に対応する位置に前リミット溝１６内において移動することができる前リミット体３１７が設けられる。
前・後リミット体３１７、３１６はそれぞれ前・後リミット溝１６、１５の側壁と当接することで支持パッド３の最大回動角度を制限することができ、また上接合面３１１には位置決め体２２に対応する位置に、異なる角度の位置に分布させた複数の位置決め溝３１８が設けられ、また台座３１の上方には複数の挿入ピン３１９が設けられ、また上蓋３２の底面には挿入ピン３１９と接合することができる複数の挿入溝３２１が設けられている。
【手続補正３】
【補正対象書類名】明細書
【補正対象項目名】００１４
【補正方法】変更
【補正の内容】
【００１４】
本発明を組み立てる際には、位置決めピース２が接合シャフト１の収容溝１２内に置かれ、且つ位置決め体２２は上向きにされる。
また支持パッド３の台座３１と上蓋３２を分離させ、且つ下接合面１１を上接合面３１１に当て、同時に回動軸３１２が回動溝１３に嵌入できるようにし、前・後リミット体３１７、３１６をそれぞれ前・後リミット溝１６、１５内に嵌入させることができる。
また台座３１の貫通孔３１４及び連通孔３１３と接合シャフト１の接合孔１４に接合部材３１５を挿通させて結合し、この時に位置決め体２２を中央位置に対応する位置決め溝３１８と結合させることができる。
また上蓋３２を台座３１に被せて挿入溝３２１を挿入ピン３１９と接合させれば組み合わせを完了することができ、組立が簡便であるとともに、アームレストの組み合わせに良好な総合的質感を備えさせることができる。
本発明の位置決めピース２はコンパクトな独立した構成部材であるため、コストを削減することができ、且つ弾性が良好で断裂しにくい材料を用いて製造することで良好な使用寿命を備えることができる。
【手続補正４】
【補正対象書類名】明細書
【補正対象項目名】００２０
【補正方法】変更
【補正の内容】
【００２０】
１      接合シャフト
１１    下接合面
１２    収容溝
１３    回動溝
１４    接合孔
１５    後リミット溝
１６    前リミット溝
２      位置決めピース
２１    弾性片部
２２    位置決め体
３      支持パッド
３１    台座
３１１  上接合面
３１２  回動軸
３１３  連通孔
３１４  貫通孔
３１５  接合部材
３１６  後リミット体
３１７  前リミット体
３１８  位置決め溝
３１９  挿入ピン
３２    上蓋
３２１  挿入溝